(57)【要約】【課題】バフンウニ、アワビ、バテイラなどの食害を防止し、柔軟性があり単位面積あたりの重量が小さい海藻の着生を促進する部材を提供する。【解決手段】ポリ乳酸素材の柔軟性のある網シート状の基体２の一表面１４に、ポリ乳酸から成る複数の線状体３の基端部４を突出して構成する。線状体４の太さＤ１は、１００ｄ〜外径５ｍｍφであり、高さＨ１は、１〜３０ｍｍφであり、線状体の相互間の間隔Ｌ１は、３〜３０ｍｍである。基体２に、受精卵、遊走子が付着し、海藻の育苗が可能である。【選択図】　　　図１
2004000065.tif 000002
【特許請求の範囲】
【請求項１】
合成樹脂から成る基体と、
基端部が基体から外方に突出して延び、合成樹脂から成る複数の線状体とを含むことを特徴とする海藻着生部材。
【請求項２】
基体は、柔軟性のあるシート状体から成ることを特徴とする請求項１記載の海藻着生部材。
【請求項３】
線状体の太さは、１００ｄ〜外径５ｍｍφであることを特徴とする請求項１または２記載の海藻着生部材。
【請求項４】
線状体の基体からの突出した高さＨ１が１〜３０ｍｍであることを特徴とする請求項１〜３のうちの１つに記載の海藻着生部材。
【請求項５】
線状体の相互間の間隔Ｌ１は、３〜３０ｍｍであることを特徴とする請求項１〜４のうちの１つに記載の海藻着生部材。
【請求項６】
線状体は、先端部が尖鋭であり、または先端部の直径１００ｄ〜２ｍｍφであることを特徴とする請求項１〜５のうちの１つに記載の海藻着生部材。
【請求項７】
線状体は、逆Ｕ字状に形成されることを特徴とする請求項１〜５のうちの１つに記載の海藻着生部材。
【請求項８】
線状体は、基体に均一な分布で設けられることを特徴とする請求項１〜７のうちの１つに記載の海藻着生部材。
【請求項９】
線状体は、貝類などの重量によって押しつぶされない程度のばね力を有することを特徴とする請求項６〜８のうちの１つに記載の海藻着生部材。
【請求項１０】
（ａ）合成樹脂製繊維から成る柔軟性を有するシート状基体と、
（ｂ）複数の線状体であって、各線状体は、
基体から外方に突出して延び、合成樹脂から成り、太さ１００ｄ〜外径５ｍｍφであり、基体からの突出した高さＨ１が１〜３０ｍｍであり、基端部の相互間の間隔Ｌ１は、３〜３０ｍｍであり、先端部が、尖鋭または直径１００ｄ〜２ｍｍφであり、貝類などの重量によって押しつぶされない程度のばね力を有する線状体とを含むことを特徴とする海藻着生部材。
【請求項１１】
基体と線状体の合成樹脂は、ポリ乳酸であることを特徴とする１〜１０のうちの１つに記載の海藻着生部材。
【請求項１２】
請求項１〜１１のうちの１つの海藻着生部材に、海藻の受精卵または遊走子が付着して育苗していることを特徴とする海藻育苗体。
【請求項１３】
請求項１〜１１のうちの１つの海藻着生部材が、消波ブロック本体または根固めブロック本体に取付けられることを特徴とするブロック。
【請求項１４】
請求項１〜１１のうちの１つに記載の海藻着生部材を準備し、
海水中で、線状体に海藻の受精卵または遊走子が付着して育苗し、ウニ、アワビ、巻貝のうちの少なくとも１つを含む貝類による食害を防ぐことを特徴とする海藻の育苗方法。
【請求項１５】
請求項１２の海藻育苗体を、貯槽内の海水中に浸漬した状態で、冷却材によって海水の温度を０〜１０℃に保って、運搬することを特徴とする海藻育苗体の運搬方法。
【発明の詳細な説明】
【０００１】
【発明の属する技術分野】
本発明は、ホンダワラ、アラメ、カジメ、およびコンブなどの海藻を着生して育苗する海藻着生部材に関する。
【０００２】
【従来の技術】
近年、海洋の汚染が著しく、また魚介類の乱獲が進み、これら海洋における動植物の枯渇が懸念されている。海藻を着生する先行技術は、たとえば特開平５−３０８８７１などに開示され、陶器の破片、瓦の破片および貝殻などのような多孔質の部材であって、このような部材を海底に配置し、海藻の着生、育苗を行う。他の先行技術は、ポーラスコンクリート塊および砂粒が表面に固定されたコンクリート塊などのような表面に凹凸を有する部材である。
【０００３】
海藻の着生を天然で行う先行技術では、海藻が着生しやすい基質を貼り付けて、海中で卵や遊走子が着定することを期待するものであり、先行技術のほとんどは板状であるが、ひも状、ブロック状のものも、ある。他の先行技術は発泡シートから成り、その端部を海底に固定し、海中に浮かべて着生を期待するものである。これらの各先行技術はいずれも、着生は凹凸に頼り、食圧を回避するものではない。
【０００４】
海藻の着生を人工で行う先行技術は、陸上の水槽で海藻を着生させ生育させた後に海へ出す手法で行われ、ロープや網によって実現され、コンブの種糸、ワカメの種糸などと呼ばれている。ロープは、コンクリート構造物に固定することが難しく、そのロープの一部を固定しても固定していないところが擦れて切れてしまう。ロープや網のほかに、板状の先行技術もあるが、重く、扱いにくい。
【０００５】
これらの先行技術は、海藻の着生、育苗を行うことはできるが、海中のウニ、アワビおよびバテイラなどの貝類を含む植食動物などの食圧がかかり、食害を受けやすく、海藻の生産の歩留りが悪いという問題がある。またこの先行技術は、衝撃力によって破損することを防ぐために、肉厚を大きくする必要があり、したがって大形化し、重くなる。そのため人工育苗のコストがかさみ、また輸送コストがかかり、取扱いが不便であり、さらに水槽中で育苗するにあたり、水槽中の占有体積が高くなり、効率が悪い。
【０００６】
【発明が解決しようとする課題】
本発明の目的は、柔軟性があり単位面積あたりの重量が小さいシート状、または小形軽量の板状などの形状を有し、コストの低減が図られ、海藻の生産の歩留りが向上され、取扱いが容易な海藻着生部材、海藻育苗体、消波ブロック、海藻の育苗方法および海藻育苗体の運搬方法を提供することである。
【０００７】
【課題を解決するための手段】
本発明は、合成樹脂から成る基体と、
基端部が基体から外方に突出して延び、合成樹脂から成る複数の線状体とを含むことを特徴とする海藻着生部材である。
【０００８】
また本発明は、基体は、柔軟性のあるシート状体から成ることを特徴とする。また本発明は、線状体の太さは、１００ｄ〜外径５ｍｍφであることを特徴とする。
【０００９】
また本発明は、線状体の基体からの突出した高さＨ１が１〜３０ｍｍであることを特徴とする。
【００１０】
また本発明は、線状体の基端部の相互間の間隔Ｌ１は、３〜３０ｍｍであることを特徴とする。
【００１１】
本発明に従えば、柔軟性があり単位面積あたりの重量を小さくすることができ、海藻着生部材を海底に固定して藻場造成を図り、バフンウニなどのウニ、クロアワビなどのアワビ、バテイラなどの巻貝などの貝類による食害を防止し、歩留りを向上することができる。
【００１２】
基体は合成樹脂から成り、たとえば合成樹脂であるポリ乳酸素材のダブルラッセル編である柔軟性のあるシート状体であってもよい。特に柔軟性を有する基体は、あらゆる凹凸や曲面に対応し、コンクリート製ブロック本体の表面に容易に接着などによって固定することができて好都合である。線状体の基端部は、基体から突出して延び、したがって基体に線状体の基端部が連なり、たとえば固定されてもよい。このような海藻着生部材は、たとえばダブルラッセル編の中間製品を、厚み方向の中央で切断して分断して得たシートから成ってもよい。このような基体は、耐衝撃性に優れており、耐久性に優れており、衝撃力によって破損しにくく、したがって取扱いが容易であり、また軽量化を図ることができ、海水中で変質することはなく、長寿命である。線状体は合成樹脂から成り、たとえばナイロン（商品名）、ポリエチレンＰＥ、ポリプロピレンＰＰなどから成る。基体は、柔軟性があってもよいが、剛性であってもよい。
【００１３】
線状体の太さ、高さＨ１、間隔Ｌ１を上述のように適切に選ぶことによって、ウニ、アワビ、バテイラなどによる食害を防止することが容易である。前述の高さＨ１は、１〜５ｍｍでもよいが、好ましくは１〜３０ｍｍであり、このように比較的長く構成することによって、たとえば魚類の食害を防ぐことができる。高さＨ１を長く構成するにつれて、線状体の基端部の相互間の間隔Ｌ１を大きい値に設定し、これによって線状体の基端部付近の密度を粗くし、この基端部付近の環境が悪化することを防ぐ。基端部の相互間の間隔Ｌ１は、１〜３ｍｍであってもよいが、好ましくは３〜３０ｍｍである。線状体は、０〜２ｍｍ程度の間隔Ｌ１で、規則的な列を形成してもよく、その線状体の列間の間隔は、３〜３０ｍｍであってもよい。列は、３〜３０ｍｍ程度で交差し、メッシュ状に形成される必要がある。
【００１４】
また本発明は、線状体は、先端部が尖鋭であり、または先端部の直径１００ｄ〜２ｍｍφであることを特徴とする。
【００１５】
また本発明は、線状体は、逆Ｕ字状に形成されることを特徴とする。
本発明に従えば、線状体は直線状であってもよいが、逆Ｕ字状であってもよく、直線状の線状体の先端部を尖鋭に形成することによって、食害をさらに確実に防ぐことができるようになる。
【００１６】
また本発明は、線状体は、基体に均一な分布で設けられることを特徴とする。また本発明は、線状体は、貝類などの重量によって押しつぶされない程度のばね力を有することを特徴とする。
【００１７】
また本発明は、（ａ）合成樹脂製繊維から成る柔軟性を有するシート状基体と、
（ｂ）複数の線状体であって、各線状体は、
基体から外方に突出して延び、合成樹脂から成り、太さ１００ｄ〜外径５ｍｍφであり、基体からの突出した高さＨ１が１〜３０ｍｍであり、基端部の相互間の間隔Ｌ１は、３〜３０ｍｍであり、先端部が、尖鋭または直径１００ｄ〜２ｍｍφであり、貝類などの重量によって押しつぶされない程度のばね力を有する線状体とを含むことを特徴とする海藻着生部材である。
【００１８】
また本発明は、基体と線状体の合成樹脂は、ポリ乳酸であることを特徴とする。
【００１９】
線状体は基体の一表面に均一な分布密度で設けられてもよいが、周縁部にのみ設けられてもよい。線状体を基体の周縁部のみに設ける構成では、ウニ、アワビ、バテイラがその周縁部の線状体を乗越えることができず、したがって周縁部の海藻および周縁部で囲まれた内方部の海藻の食害を防止することができる。線状体の先端部は尖っていなくてもよく、太さ１００ｄ程度の線状体であれば、ばっさり切った端面が軸線に垂直であってもよい。太さが５ｍｍφであれば、先端部は、尖鋭に形成され、食害防止効果を向上することができる。線状体の先端部の直径は、１００ｄ〜２ｍｍφ程度であってもよい。線状体は、直線状でなくてもよく、やや曲線状になっていてもよく、その線状体の軸線は、基体の表面に垂直にまっすぐ立った構成であってもよいが、斜めであってもよい。この線状体は、その先端部が、食害を及ぼす貝類の表面に当接して貝類を刺激し、これによって貝類を退避させる。そのためには、線状体は、貝類の体重程度で押しつぶされないばね力を有することが好ましい。
【００２０】
基体には、２価鉄、ケイ素およびリンから成るグループから選ばれた１または複数が含有されることによって、海藻に長期間にわたって栄養となる２価鉄、ケイ素およびリンの少なくとも１つが長期間にわたって海水中に溶出して供給され、海藻の育苗をさらに促進することができる。本発明ではたとえば好ましくは、トルマリン等鉱石や炭素材を基体内部に含めることによって、周辺の水環境を改善して海藻が栄養を吸収しやすくする基質によって構成されることがさらに好ましい。実海域での貝類の侵入は、浮遊着生により、したがって線状体が基体の周縁部にしか設けられていない構成では、その周縁部で囲まれた中央部に貝類が浮遊着生すると、海藻が根こそぎ食べられてしまう恐れがある。したがって線状体は、その基端部が前述のように３〜３０ｍｍ程度の間隔Ｌ１を空けて存在するように構成されることが好ましい。
【００２１】
また本発明は、前述の海藻着生部材に、海藻の受精卵または遊走子が付着して育苗していることを特徴とする海藻育苗体である。
【００２２】
本発明に従えば、海藻着生部材を用いて育苗した海藻育苗体を供給し、海の希望する場所で、海藻の生産を行うことが容易に可能となる。
【００２３】
また本発明は、前述の海藻着生部材が、消波ブロック本体または根固めブロック本体に取付けられることを特徴とするブロックである。
【００２４】
本発明に従えば、海藻着生部材を、海底に固定する代りに、コンクリート製などの材料から成る消波ブロック、根固めブロックなどの海洋土木構造物であるブロック本体に固定し、海藻の育苗、生産を行うことができる。
【００２５】
また本発明は、前述の海藻着生部材を準備し、
海水中で、線状体に海藻の受精卵または遊走子が付着して育苗し、ウニ、アワビ、巻貝のうちの少なくとも１つを含む貝類による食害を防ぐことを特徴とする海藻の育苗方法である。
【００２６】
本発明に従えば、海藻着生部材を用いて、ウニ、アワビ、バテイラなどの食害を防いで、海藻の育苗を行うことができる。
【００２７】
本発明は、前述の海藻育苗体を、貯槽内の海水中に浸漬した状態で、冷却材によって海水の温度を０〜２０℃に保って、運搬することを特徴とする海藻育苗体の運搬方法である。
【００２８】
本発明に従えば、貯槽内に海水を貯留し、この海水中に、前述の１または複数の海藻育苗体を浸漬した状態で、たとえば氷などの冷却材を用いて前記海水の温度を０〜２０℃に保ちながら、宅配便などで海藻育苗体を運搬することができる。こうして海藻が育苗されたままの状態で、漁業に携わる購入者に届けることができ、新しいビジネスが始まる。温度が２０℃を超えると、輸送時に水質の悪化を招く。
【００２９】
【発明の実施の形態】
図１は、本発明の実施の一形態の海藻着生部材１の簡略化した斜視図である。この海藻着生部材１は基本的に、合成樹脂から成る基体２と、この基体２の図１における上方に臨む一表面に突出して基端部４が固定される合成樹脂から成る複数の線状体３とを含む。基体２は、たとえば水平断面が正方形または長方形などの矩形の平板状である。基体２は、たとえばポリ乳酸素材のダブルラッセルをセンターカットしたシートであってもよく、繊維ネットのシートであってもよく、柔軟性を有し、耐衝撃性および耐久性に優れている。線状体３は、基体２の表面１４の全面に均一な分布密度で設けられる。
【００３０】
図２は、図１に示される海藻着生部材１の使用状態を示す簡略化した断面図である。海藻着生部材１の基体２は、消波ブロック本体５の表面に、接着剤２１によって固定される。こうして消波ブロック本体５に海藻着生部材１が取付けられて、消波ブロック８が構成される。消波ブロック本体５は、たとえばコンクリートなどの材料から成り、海底または海岸に配置される構成であってもよい。
【００３１】
図３は、海藻着生部材１の拡大断面図である。線状体３は、たとえばポリ乳酸、ナイロン（商品名）Ｎｙ、ポリエチレンＰＥ、ポリプロピレンＰＰなどの合成樹脂材料から成ってもよい。線状体３の太さは、１００ｄ以上のモノフィラメントであってもよいが、マルチフィラメントの場合、１本のフィラメントの太さが１００ｄ以上ある必要がある。線状体３は、弾発性を有し、海藻の食害を生じるウニ、アワビ、バテイラなどの貝類の重量によって橈んでもよいが押しつぶされない程度のばね力を有し、たとえば人の歯ブラシの線状体程度のばね力を有してもよく、あるいはまた可撓性を有してもよいが、剛性であってもよい。線状体３の軸線は直線状であり、表面１４に垂直であってもよいが、９０°以外の角度で傾斜していてもよく、あるいはまた弯曲した形状であってもよい。線状体３の太さＤ１は、１００ｄ（デニール）〜外径５ｍｍφであり、たとえば円形断面を有する。線状体３の基体２から図３の上方に突出した高さＨ１は、１〜５ｍｍであってもよいが、１〜３０ｍｍであってもよい。線状体３の基端部の相互間の間隔Ｌ１は、１〜３ｍｍであってもよいが、３〜３０ｍｍであってもよい。線状体３の外径Ｄ１、高さＨ１および相互間の間隔Ｌ１が、前述の範囲の外では、ウニ、アワビおよびバテイラなどの植食動物などによる食害が著しい。
【００３２】
この基体２には、海中で、ホンダワラの受精卵１１およびコンブの遊走子１２が付着し、着生して育苗する。線状体３に着生した海藻は、着生力が弱く、海水中で波に対して不安定である。ホンダワラの受精卵１１は、１００〜５００μｍφであり、自重で落下して線状体３に絡むなどして付着する。コンブ科の胞子である遊走子１２は、長さ１０〜５０μｍであり、水中を漂い、線状体３に絡むなどして付着する。基体２の線状体３が突出する表面１４は平滑であっても、前述の受精卵および遊走子１２の付着は充分に達成されるが、さらにその表面１４は多孔質であってもよく、または凹凸が存在してもよい。
【００３３】
基体２にはさらに、受精卵および遊走子の着生、育苗を促進するために、２価鉄、ケイ素、リンなどを含有し、長期にわたって海水中に溶出して栄養を供給するようにしてもよい。
【００３４】
図４は、本発明の実施の他の形態の線状体３ａ，３ｂを示す断面図である。図４（１）に示される線状体３ａは、その基端部４が基体２に、前述の実施の形態と同様に固定されており、線状体３ａは、前述の線状体３に類似し、その先端部１６は尖鋭である。線状体３，３ａは直円柱状であり、先端部１６は円錐状であってもよい。このように先端部１６が尖鋭に形成されることによって、ウニ、アワビ、バテイラなどが進入することをさらに困難にし、食害を確実に防ぐ。線状体３ａの太さが５ｍｍφ以上であれば、先端部１６を前述のように尖った形状とすることが好ましい。線状体３ａの外径が１００〜１０００ｄ程度の糸であれば、その線状体３ａの軸線に垂直にばっさり切った垂直な端面で先端部が構成されても、食害防止効果を充分に達成することができる。
【００３５】
図４（２）に示される本発明の実施の他の形態の線状体３ｂは、線状体本体１７の基端部４が前述の実施の形態と同様に基体２に固定され、その先端部１８には、頂部１９が固定される。頂部１９が球状であっても、線状体３ｂが前述のように１００〜１０００ｄ程度の糸で実現される場合、その球状の頂部１９の外径は比較的小さいので、食害防止効果が充分に達成される。この頂部１９は、中空であり、その外形は球状である。線状体本体１７は小さなばね定数を有し、ひも状であって、頂部１９の海水中での浮力で、上方に延び、海水の流れにしたがって揺動する構成であってもよい。線状体本体７は弾発性を有し、または剛性であってもよい。図４（１）および図４（２）に示される各線状体３ａ，３ｂを含む海藻着生部材のそのほかの構成は、前述の図１〜図３の実施の形態と同様である。頂部１６，１９は、その外径が１００ｄ〜２ｍｍφであることが、食害防止効果を向上させるために、好ましい。
【００３６】
図５は、本発明の実施の他の形態の消波ブロック８ａの一部の断面図である。この消波ブロック８ａは、前述の図２に示される消波ブロック８の構成に類似し、対応する部分には同一の参照符を付す。この実施の形態では、消波ブロック８ａの本体５に、基体２が植込みボルト６とそのボルト６に螺合するナット７とによって取外し可能に固定される。海藻着生部材１を消波ブロック本体５に固定するための構成は、そのほかの構成であってもよい。
【００３７】
図６は、本発明の実施の他の形態の海藻着生部材１ａの簡略化した平面図である。注目すべきはこの実施の形態では、線状体３は、基体２の周縁部２３にのみ設けられ、この周縁部２３によって囲まれる内方部２４には、線状体３は設けられない。基体２の周縁部２３に線状体３が設けられることによって、ウニ、アワビ、バテイラなどは、周縁部２３の線状体３上に進入することはなく、したがって周縁部２３を越えて内方部２４に入り込むことはない。これによって周縁部２３に設けられた線状体３および内方部２４における基体２の表面１４に着生、成育しているホンダワラ、コンブ科などに食圧がかかることが防がれ、食害が防止される。
【００３８】
図７は、本発明の実施のさらに他の形態の海藻着生部材１ｂの斜視図である。この実施の形態は前述の実施の形態に類似し、対応する部分には同一の参照符を付す。注目すべきはこの実施の形態では、基体２の表面１４には、均一な分布で複数の線状体３ｃが固定される。
【００３９】
図８は、図７に示される海藻着生部材１ｂの一部の拡大断面図である。線状体３ｃは、その全体の形状が逆Ｕ字状であり、一対の基端部２６は、基体２に固定される。上方に凸状に彎曲された遊端部２７は、滑らかである。線状体３ｃの素線の太さは、前述の実施の形態と同様に、１００ｄ〜外径５ｍｍφであり、基体２の表面１４からの突出した高さＨ１は、前述のように１〜５ｍｍであり、線状体３ｃの相互間の間隔Ｌ１は、前述のように１〜３ｍｍである。さらに各線状体３の間隔Ｌ２は、前述の相互間の間隔Ｌ１とほぼ等しくてもよく、１〜３ｍｍである。図７および図８の実施の形態のそのほかの構成は、前述の実施の形態と同様である。
【００４０】
海藻の受精卵および遊走子の線状体３，３ａ〜３ｃへの絡み状態について述べる。ホンダワラは、粘液質を持った外径２００μｍ以上の受精卵１１が海水中を浮遊し、止水中では、線状体３の基体２の水平な表面１４に対する傾斜角度が４５度以上になると着生が困難になる。すなわち波による往復流を含めて流れのある海域では、平滑な表面には受精卵は着生せず、繊維状の線状体３の働きによって受精卵の着生が有効に行われる。この線状体３は、いわば落石防止ネットと同様な働きを果たす。
【００４１】
コンブ科の遊走子１２は、水平面に対して傾斜した線状体３およびその周辺によく着生がみられる。これは、線状体３があることによって、海水の流れが変化し、場合によっては渦が生じるので、遊走子の留まる時間が増えることに起因する。遊走子は、浮遊沈降し、初期の着生力は、ホンダワラより、はるかに劣るが、量が多いことが特徴である。基体２の表面である着生面に、繊維体である線状体３が存在することによって、渦が生じ、遊走子の滞留時間が増大し、着生後に線状体３が、いわば防風林と同様な役割を果たすことによって、着生補助が有効に行われるからである。こうして本発明では、線状体３，３ａ，３ｂ，３ｃによってホンダワラの受精卵１１およびコンブ科の遊走子１２の着生が補助される。海藻の仮根（かこん）は、体を水中で保持するものに過ぎず、陸上植物のようにひげ根が伸びたりせず、そこから養分を吸収するものでもない。
【００４２】
バフンウニ（ウニ綱）の本発明による海藻着生部材１の進入阻害機能について述べる。ウニは下部に吸盤を持った棘（とげ）を持っており、これを動かすことによって、鉛直面を移動する。たとえばガラスなど表面が平らな鉛直面を上る場合は、水流によって、容易に脱落する。
【００４３】
クロアワビ、バテイラ（腹足綱）の場合における海藻着生部材１の進入阻害機能について述べる。クロアワビおよびバテイラである巻貝の場合、腹の筋肉を動かして移動するので、人工的なざらざら感を、嫌がることが考えられる。また、面を移動するので、ある程度細かく（細かすぎてもだめであるが）、直立できる素材であれば、本発明の効果が得られる。毛布などの細かい起毛の場合、触感に違和感が出ず、進入阻害できない。また、藻類の卵や遊走子が起毛の中に入って生育不良を起こす。細かい糸は表面に他の付着生物（珪藻など）が付きやすく、そのことによる、内部の環境悪化（光量・栄養不足）が生じる。
【００４４】
食害防止範囲について述べる。理論上は、海藻を着生される面の周囲に繊維体である線状体３，３ａ，３ｂ，３ｃがあれば、食害を防ぐことができる。しかし、食害種は水中を波にもまれて浮遊し、落下することもあり、海藻着生面が大きすぎると、海藻着生面に食害種が落下した場合、繊維体に囲まれていない範囲は、食害の危険にさらされる。また、海藻着生の面からは、防風林的役割を果たす繊維体は多いほど効果が出る。しかし、あまりに多すぎると、着生した卵や遊走子が着生面まで到達せず、かえって着生に不利になってしまう。海藻着生と食害軽減を併せ持つ基質は繊維体が密の場所と、疎の場所がバランスよく配置されていることが好ましい。密な場所では、相互間の間隔Ｌ１が、おおむね１ｍｍ未満で線状体が配置され、疎の場所では３ｃｍ角未満であることが好ましい。
【００４５】
人工的な種苗生産について述べる。種苗サイズはコンブ科の場合、遊走子１２が着底し、成熟して雌雄に別れ、受精後すぐ（０．５ｍｍ程度）から葉長が１．５ｃｍくらいまで、ホンダワラの場合、受精卵１１が着底し、仮根が形成されて（０．５ｍｍ程度）から葉長が１．５ｃｍくらいまでが好ましい。葉長が１．５ｃｍ以上になると、輸送にかなりの制約が出てくるが、５ｃｍくらいまで対応できる。
【００４６】
図９は、本発明の実施の他の形態を示す簡略化した断面図である。海藻着生部材１に、海水中でホンダワラの受精卵またはコンブ科の遊走子が付着して育苗された複数の海藻育苗体３１は、棚である支持部材３２に、多段状に上下に間隔をあけて配置される。この支持部材３２は、貯槽３３内で海水３４中に浸漬される。運搬用のケース３５には、冷却材３６が収納され、海水３４、したがって海藻育苗体３１の温度は、たとえば０〜２０℃に保たれる。この図９に示される状態で、海藻育苗体３１は、たとえば宅配便によって購入者に生産者から運搬される。冷却材３６は、たとえばドライアイスまたは氷などであってもよく、特に気温が高い夏場において海藻育苗体３１の苗の好適な環境を実現する。
【００４７】
本件発明者の実験結果を述べる。
図１０は、本件発明者の実験に用いられた装置の平面図である。貯槽４１は、長さＡ＝５００ｍｍ×幅Ｄ＝２００ｍｍの内面寸法を有する平面形状が長方形であって、海水が貯留される。この貯槽４１の底に、本発明に従う前述の図１〜図３に関連して前述した海藻着生部材１にホンダワラの受精卵およびコンブ科の遊走子が付着して育苗した海藻育苗体３１が配置される。また比較のために、表面が平滑な基体４２上にホンダワラの受精卵およびコンブ科の遊走子が付着、育苗した海藻育苗体４４が間隔をあけて配置される。海藻育苗体３１，４４の平面形状は、同一であって、８０ｍｍ×８０ｍｍである。貯槽４１内には、バフンウニ約１０個体、アワビ約１０個体およびバテイラ約１０個体を、実験前約１日間にわたって餌を与えない状態を保った後、参照符４６で示すように貯槽４１内に放した。生物サイズについて述べる。ウニ、バテイラ、クロアワビとも１０個体、サイズはウニは、５ｍｍが２個体、１０ｍｍが５個体、１５ｍｍが２個体、２０ｍｍが１個体、バテイラは２０ｍｍが１個体、２５ｍｍが６個体、３０ｍｍが３個体、クロアワビは４０ｍｍが５個体、５０ｍｍが３個体、６０ｍｍが２個体でいずれも実験開始１日前から絶食させ、実験に用いた。表１は実施例１〜１２および比較例１〜３の構成と、その実験結果を示す。
【００４８】
【表１】
2004000065.tif 000003
【００４９】
材料のＮｙは、ナイロンを、ＰＥは、ポリエチレンを、ＰＰは、ポリプロピレンを示す。実施例１〜１２および比較例１〜３のうち、実施例１０だけは、前述の図７および図８に示される逆Ｕ字状の線状体３ｃを有する構成であり、そのほかの実施例１〜９，１１，１２および比較例１〜３は、前述の図１〜図３の実施の形態と同様な構成を有する。この表１は、バフンウニ、アワビおよびバテイラの各約１０個体中、２４時間以内に海藻育苗体３１または４４に辿り着いた個体数を計数した結果を示す。表１における素地というのは、海藻育苗体４４に辿り着いたバフンウニ、アワビ、バテイラの個体数の計数値を示す。
【００５０】
表２は、前述の表１の実験と同様にバフンウニ、アワビ、バテイラの各約１０個体中、２４時間以内に海藻育苗体３１，４４に辿り着くのに要した時間（ｈ）の平均値を示す。
【００５１】
【表２】
2004000065.tif 000004
【００５２】
表２において、素地は、前述の表１と同様に海藻育苗体４４に辿り着いたバフンウニ、アワビ、バテイラの個体数の計数値を示す。
【００５３】
これらの表１および表２に示される実験結果によれば、海藻育苗体を構成する海藻着生部材１の線状体３の太さは、１００ｄ〜外径５ｍｍφが好適することが判る。本件発明者のさらに他の実験結果によれば、図４（１）に示されるように、線状体３ａの先端部１６を尖鋭に構成することによって、その線状体３ａの太さが５ｍｍφを超え、約１０ｍｍφであっても、食害防止効果が優れていることが確認された。
【００５４】
線状体３の高さＨ１は、１〜５ｍｍが食害防止に有効であることが判る。線状体３の海水中での形状保持を考慮すると、本件発明者の実験によれば高さＨ１は、３〜５０ｍｍが有効であることが確認された。
【００５５】
線状体３の相互の間隔Ｌ１は、１〜３ｍｍであることが、食害防止の観点から有効であることが確認された。線状体３は、図１〜図３に示される実施の形態のように直線状であり、また図７および図８に示されるように逆Ｕ字状線状体３ｃは、アワビおよびバテイラに対しては有効である。バフンウニに対しては図１〜図３の直線状線状体３も充分に有効であるが、図７および図８の逆Ｕ字状線状体３ｃがもっと有効である。
【００５６】
【発明の効果】
本発明によれば、単位面積あたりの重量が小さく、強度が優れた海藻着生部材が実現され、取扱いが容易であり、しかもバフンウニ、アワビ、バテイラなどによる食圧がかかるのを防ぎ、食害防止機能が充分に達成され、これによって歩留りを向上し、海藻の生産を効率よく行うことができるようになる。
【図面の簡単な説明】
【図１】本発明の実施の一形態の海藻着生部材１の簡略化した斜視図である。
【図２】図１に示される海藻着生部材１の使用状態を示す簡略化した断面図である。
【図３】海藻着生部材１の拡大断面図である。
【図４】本発明の実施の他の形態の線状体３ａ，３ｂを示す断面図である。
【図５】本発明の実施の他の形態の消波ブロック８ａの一部の断面図である。
【図６】本発明の実施の他の形態の海藻着生部材１ａの簡略化した平面図である。
【図７】本発明の実施のさらに他の形態の海藻着生部材１ｂの斜視図である。
【図８】図７に示される海藻着生部材１ｂの一部の拡大断面図である。
【図９】本発明の実施の他の形態を示す簡略化した断面図である。
【図１０】本件発明者の実験に用いられた装置の平面図である。
【符号の説明】
１，１ａ〜１ｃ　海藻着生部材
２　基体
３，３ａ〜３ｃ　線状体
５　消波ブロック本体
８　消波ブロック
１１　受精卵
１２　遊走子
３１　海藻育苗体
３３　貯槽
３６　冷却材
【図１】
2004000065.tif 000005
【図２】
2004000065.tif 000006
【図３】
2004000065.tif 000007
【図４】
2004000065.tif 000008
【図５】
2004000065.tif 000009
【図６】
2004000065.tif 000010
【図７】
2004000065.tif 000011
【図８】
2004000065.tif 000012
【図９】
2004000065.tif 000013
【図１０】
2004000065.tif 000014